(57)【要約】【課題】１８０°に開いた状態で、第１部材と第２部材とを真っ直ぐに伸ばすことができ、しかも、第１部材と第２部材とを任意の角度で停止させることができ、加えて、第１部材と第２部材とを相似形に回動させることで全体の動きを把握することができ、これにより、テレビ画面を見る場合のように、例えば、机上に任意の角度に固定して略Ｌ字状に配置することもできる３６０°回転式の携帯電話を提供する。【解決手段】  テンキーなどのパネル面１４ａを備えた第１部材１４と、画像などを表示する液晶画面１６ａを備えた第２部材１６との間に連結手段１８が介在され、  連結手段１８は、２つ一組のギア２０，２２と、第１部材１４と第２部材１６との間に配置される連結部材２４と、両端部の軸４０，４２同士が相互に回転自在に構成されたヒンジ部材２６，２８と、から構成されている。【選択図】図３
2006295384.tif 000002
【特許請求の範囲】
【請求項１】
テンキーなどのパネル面を備えた第１部材と、画像などを表示する液晶画面を備えた第
２部材との間に連結手段が介在されることにより、前記第２部材が前記第１部材に対して３６０°回転するように構成された携帯電話であって、
前記連結手段は、
２つ一組のギアと、
前記第１部材と前記第２部材との間に配置される連結部材と、
前記ギアの回転軸と前記連結部材との間に介在され、両端部の軸同士が相互に回転自在
に構成されたヒンジ部材と、から構成されていることを特徴とする携帯電話。
【請求項２】
前記パネル面および前記液晶面を互いに対面させた状態での前記第１部材または前記第２部材のいずれか一方の内側面に、密着させたときの隙間を形成するための凸部が形成されていることを特徴とする請求項１に記載の携帯電話。
【請求項３】
前記パネル面および前記液晶面を互いに対面させた状態での前記第１部材または前記第２部材のいずれか一方の外側面に、密着させたときの隙間を形成するための凸部が形成されていることを特徴とする請求項１に記載の携帯電話。
【請求項４】
前記パネル面および前記液晶面を互いに対面させた状態での前記第１部材または前記第２部材のいずれか一方の内側面に、密着させたときの隙間を確保する凹所が幅方向に形成されていることを特徴とする請求項１〜３のいずれかに記載の携帯電話。
【請求項５】
前記パネル面および前記液晶面を互いに対面させた状態での前記第１部材または前記第２部材のいずれか一方の外側面に、密着させたときの隙間を確保する凹所が幅方向に形成されていることを特徴とする請求項１〜３のいずれかに記載の携帯電話。
【請求項６】
前記第１部材のギアと前記第２部材のギアは、それぞれエラストマ−などの弾性体によって形成されていることを特徴とする請求項１〜請求項５のいずれかに記載の携帯電話。
【発明の詳細な説明】
【技術分野】
【０００１】
本発明は携帯電話に関するもので、詳しくは、２つ折りの携帯電話において、テンキーを備えた第１部材に対して、液晶面を備えた第２部材が、３６０°回転するように構成された携帯電話に関する。
【背景技術】
【０００２】
携帯電話の普及に伴って様々なスタイルのものが提供されている。図１２および図１３は、例えば特許文献１に開示されている３６０°回転させるタイプの携帯電話１０を示したものである。
【０００３】
この携帯電話１０は、テンキーなどのパネル面１ａを備えた第１部材１と、液晶画面２ａを備えた第２部材２との２部材が、連結部材６と２つの軸７，８を介して回動自在に取り付けられている。そして、この連結部材６に支持された２つの軸７，８により、第１部材１と第２部材２は３６０°回動するように構成されている。
【０００４】
ところで、このような３６０°回転式の携帯電話１０では、どちらの軸７，８を回動支点とするかで、回動の軌跡が異なる。すなわち、第１部材１を固定した状態で第２部材２を回動させることもできれば、その逆に第２部材２を固定した状態で第１部材１を回動させることもできる。このような場合は、いずれか一方の軸７，８のみが回転軸として使用される。２つの軸７，８をともに支点として回動させると、第１部材１と第２部材２とは、ばらばらな動きをすることになる。
【０００５】
また、従来の携帯電話１０では、図１３に示したように、１８０°回転した状態すなわち第１部材１と第２部材２とを真っ直ぐに延ばしても、第１部材１と第２部材２とは一直線上に配置されず、両者の間に段差ｄが形成されてしまう。このような段差ｄが形成されてしまうと、テーブルなどに置かれた場合に不安定で、重心がある一方に倒れてしまう虞があり、何かと使い勝手が悪かった。
【０００６】
一方、このような携帯電話１０は、一般に薄型を追求する余り、折り畳んだ状態で、第１部材１と第２部材２との互いに対向する密着面には隙間が形成されない。このように折り畳んだ時に隙間の形成されない携帯電話１０を、例えば、クリップを扱う場合のように、携帯電話本体をファイルに差し込んだりポケットに挟み込んだりすると、第１部材１と第２部材２との自由端側が若干開いてしまい、結果として、携帯電話１０が挟まれた部材から外れてしまう虞れがあった。これは、反対側に３６０°回転させたときも同様で、テンキーが形成されたパネル面１ａや液晶画面２ａを外側に露出させた状態で折り畳んだときも、例えばファイルなどに差し込むと、そのファイルから外れ落ちてしまう虞があった。
【０００７】
また、昨今では、第２部材２の内側の液晶画面２ａを利用してＴＶを見られるようにした携帯電話も普及している。このように携帯電話１０を利用して、ＴＶを見る場合は、手に持った姿勢で見るよりもＬ型手鏡あるいは目覚まし時計のように、卓上に斜めに置いた姿勢で見る方が自然である。このような要求に対して、従来の３６０°回転式の携帯電話１０では、任意の傾斜角度で卓上で固定することができないという問題があった。
【０００８】
また、従来の携帯電話１０は、第１部材１と第２部材２とがばらばらに回動してしまうので、動きの全体を把握することができないという問題があった。
【特許文献１】特開２００２−１７１３２４号公報
【発明の開示】
【発明が解決しようとする課題】
【０００９】
本発明は、このような実情に鑑みてなされたもので、３６０°回転させることができるいわゆる２つ折の携帯電話であって、１８０°に開いた状態で、第１部材と第２部材との間に段差が形成されず、しかも、回動の途中で第１部材と第２部材とを任意の角度で停止させることができ、加えて、第１部材と第２部材とを相似形に回動させることができ、これにより、例えば、液晶画面を利用してテレビを見る場合に、任意の角度に固定して略Ｌ字状に配置することもできる使い勝手の良い携帯電話を提供することを目的としている。
【課題を解決するための手段】
【００１０】
本発明に係る携帯電話は、
テンキーなどのパネル面を備えた第１部材と、画像などを表示する液晶画面を備えた第２部材との間に連結手段が介在されることにより、前記第２部材が前記第１部材に対して３６０°回転するように構成された携帯電話であって、
前記連結手段は、
２つ一組のギアと、
前記第１部材と前記第２部材との間に配置される連結部材と、
前記ギアの回転軸と前記連結部材との間に介在され、両端部の軸同士が相互に回転自在
に構成されたヒンジ部材と、から構成されていることを特徴としている。
【００１１】
係る構成による携帯電話によれば、第１部材と第２部材とを相互に相似形に回動させる
ことができるので、全体の回動軌跡を一義的に決定することができる。
ここで、本発明では、前記パネル面および前記液晶面を互いに対面させた状態での前記
第１部材または前記第２部材のいずれか一方の内側面に、密着させたときの隙間を形成するための凸部が形成されていることが好ましい。
【００１２】
このような構成であれば、ノートやポケットなどに差し込んだ場合に、差し込んだ部材の厚さ程度の隙間が予め確保されているので、差し込まれた姿勢を安定に保持することができる。
【００１３】
さらに、本発明では、前記パネル面および前記液晶面を互いに対面させた状態での前記第１部材または前記第２部材のいずれか一方の外側面に、密着させたときの隙間を形成するための凸部が形成されていても良い。
【００１４】
このような構成であれば、通常の非使用状態から３６０°回転させた状態で、ノートやポケットなどに差し込んだ場合も、差し込んだ部材の厚さ程度の隙間が予め確保されるので、姿勢の安定化を図ることができる。
【００１５】
さらに、本発明では、前記パネル面および前記液晶面を互いに対面させた状態での前記第１部材または前記第２部材のいずれか一方の内側面に、密着させたときの隙間を確保する凹所が幅方向に形成されていることが好ましい。
【００１６】
また、本発明では、前記パネル面および前記液晶面を互いに対面させた状態での前記第１部材または前記第２部材のいずれか一方の外側面に、密着させたときの隙間を確保する凹所が幅方向に形成されていても良い。
【００１７】
さらに、本発明は、前記第１部材のギアと前記第２部材のギアは、それぞれエラストマ−などの弾性体によって形成されていることが好ましい。
このように、ギアとなる部分がエラストマ−で形成されていれば、外部に一部露出する
ギア分が回転時に手に触れたとしても、使用者に痛みを感じさせることがない。
【発明の効果】
【００１８】
本発明に係る携帯電話によれば、第１部材と第２部材とが互に相似形に回動するので、回動軌跡が常に一定である。また、２つ折りの第１部材と第２部材を１８０°に真っ直ぐに延ばした場合に、段差が形成されない。よって、真っ直ぐに伸ばしたときの姿勢が安定である。
【００１９】
さらに、表面あるいは裏面などに凸部や凹部を設けることにより、ノートやポケットなどに差し込んだときに、２つ折りの携帯電話本体の姿勢を安定にすることができ、落下などを防止することができる。
【００２０】
また、ギアを弾性体から形成すれば、ギアが手に接触したとしても、操作者に痛みなどを与えることもない。
【発明を実施するための最良の形態】
【００２１】
以下、本発明に係る携帯電話の一実施例について図面を参照しながら説明する。
図１〜図７は、本発明の一実施例に係る携帯電話を示したものである。
この携帯電話１２は、テンキーなどのパネル面１４ａを備えた第１部材１４と、画像などを表示する液晶画面１６ａを備えた第２部材１６とにより、電話機本体が形成されている。そして、第１部材１４と第２部材１６との間は、連結手段１８を介して連結され、この連結手段１８の作用により、第１部材１４と第２部材１６とは、３６０°回動可能に形成されている。
【００２２】
連結手段１８は、主として、２つ一組のギア２０，２２と、断面略矩形状で幅幅方向に延出された連結部材２４と、前記ギア２０，２２と連結部材２４との間に介在されたヒンジ部材２６，２８とから構成されている。すなわち、この連結手段１８による回動支点は、いわゆる２点ヒンジとなっており、同一構造のものが上下に並んで構成されているため、以下の説明では、主に、上側のヒンジ部材２６を中心とした構造について説明し、下側のヒンジ部材２８を中心とした構造には、同じ符号を付して詳細な説明を省略する。
【００２３】
すなわち、第１部材１４と第２部材１６との基端側端部には、連結部材２４に対応する凹所３０がそれぞれ形成され、この凹所３０内に連結部材２４が収容される。また、この凹所３０の端壁から内方に突出して、断面円形の軸３２が形成されている。また、第１部材１４と第２部材１６におけるこの軸３２の反対側の端壁には、六角形の凹所３４が形成されている。
【００２４】
なお、この凹所３４は、上記したギア２０、２２の外側面に突出された六角形の凸部３６、３６を一体的に嵌入できる形状に形成されている。したがって、ギア２０の凸部３６を第２部材１６の凹所３４内に嵌合させることにより、ギア２０と第２部材１６とは常に、一体的に移動することになる。また同様に、ギア２２の凸部３６を第１部材１４の凹所３４内に嵌合させることにより、ギア２２と第１部材１４とは、常に一体的に移動することになる。
【００２５】
一方、上記ギア２０、２２の凸部３６を設けた面とは反対側の面に、六角形状の凹所３８がそれぞれ形成されている。
ヒンジ部材２６は、両側に設けた軸４０，４２が、中央の円板４４を支点として相互に回動可能に形成されている。なお、この軸４０の外形状がギア２０の凹所３８の形状と対応している。
【００２６】
連結部材２４は、一方の端面に半円状の凹所４６が上下に並んで形成され、この凹所４６の形状がヒンジ部材２６の軸４２の形状に対応している。また、連結部材２４の他方の端面には、円形状の凹所４８が上下に並んで形成され、この凹所４８の形状が第２部材１６の軸３２の形状に対応している。
【００２７】
本実施例の連結手段１８は、上記のように構成されており、各構成要素が以下にようにして組付けられている。
すなわち、第１部材１４と第２部材１６との凹所３０、３０内に、連結部材２４が差し渡され、軸３２，３２が凹所４８，４８内にそれぞれ装着され、他方の半円状の凹所４６，４６内にヒンジ部材２６，２８の軸４２，４２がそれぞれ差し込まれ、さらに、ヒンジ部材２６，２８の他方の軸４０，４０が、ギア２０，２２の凹所３８，３８に挿入される。そして、ギア２０，２２の外側の凸部３６、３６が、第２部材１６の凹所３４と、第１部材１４の凹所３４内にそれぞれ差し込まれる。これにより、図１に示したように、第１部材１４と第２部材１６とが連結手段１８を介して３６０°回動自在に組付けられる。このように組付けられた状態で、連結部材２４は、軸３２，３２に対して回動自在である。また、ヒンジ部材２６，２８の軸４２、４２は、それぞれ連結部材２４に対して回動不能である。すなわち、軸４２は連結部材２４と常に一体的に回動する。
【００２８】
ヒンジ部材２６，２８の軸４０、４０は、それぞれギア２０，２２の凹所３８に対して回動不能である。すなわち、ヒンジ部材２６、２８の軸４０、４０はギア２０、２２に対して常に一体的に回動する。ギア２０の凸部３６は、第２部材１６の凹所３４に対して回動不能であり、ギア２２の凸部３６は、第１部材１４の凹所３４に対して回動不能である。
【００２９】
このような連結部材１８を介して３６０°回動可能にされた携帯電話１２では、第１部材１４が回動するときに一体的に回動するギア２２と、第２部材１６が回動するときに一体的に回動するギア２０とが互いに歯合されているので、第１部材１４と第２部材１６とは、互いに相似形をなすように回動する。すなわち、図２に実線で示した真っ直ぐに伸ばした状態を初期状態として、この位置から例えば、第２部材１６を半時計方向に４５°回動させると、これと同時に第１部材１４が実線位置から時計方向に４５°回動し、それぞれ「０」の位置から「＋１」の位置に移動する。さらに、同方向に４５°づつ回動させると、それぞれ「＋２」の位置に移動する。この「＋２」の状態は、初期状態から見れば１８０°、図１の状態から見れば３６０°回動したことになる。
【００３０】
本実施例では、このように第１部材１４と第２部材１６とが互いに相似形に回動するので、回動姿勢が安定する。また、「＋１」の位置あるいは「−１」の位置、あるいはそれらの途中においても、第１部材１４と第２部材１６とを停止させることができる。
【００３１】
さらに、本実施例の携帯電話１２では、第２部材１６の外側面１６ｂ（液晶画面１６ａと反対の面）の自由端側に凸部５０が幅方向に形成され、かつ基端側に凹所５２が形成されている。
【００３２】
このような凸部５０と凹所５２が形成されることにより、携帯電話１２を図１の姿勢から３６０°回動させた状態に配置すると、図４もしくは図５に示したように、ポケット５４あるいは本５６の一部分などに、差し込んだときに、この凸部５０を利用して一定の隙間を確保することができるとともに、凹所５２を利用して挟まれた部材の厚い部分などを格納することができる。すなわち、本実施例のような２つ折りの携帯電話１２では、図６に例示したように、第１部材１４の厚さ方向の中心点Ｂとギア２２の中心点Ａとの間には、ズレがあるように設定されている。したがって、このズレがある状態で図７に示したように、第１部材１４を第２部材１６に対して相対的に３６０°回転させると、第１部材１
４と第２部材１６との間には隙間Ｃが画成される。よって、この隙間Ｃを利用してこの隙間相当分にファイなどを挟み込むことができる。なお、図６に示したＡ，Ｂのズレは、第１部材１４または第２部材１６の少なくともいずれか一方の側に形成されていれば良い。また、このような中心点Ａ，Ｂのズレは、第１部材１４と第２部材１６とを３６０°反対側に回動させたときにも形成される。このような構成であれば、どちらの側に３６０°回転させた場合であっても、第１部材１４と第２部材１６との密着面に隙間Ｃを形成することができる
また、図７に示した隙間Ｃに相当する部分に凸部５０が介在されれば、重ね合わせたときの姿勢を安定にすることができる。
【００３３】
なお、このような凸部５０と凹所５２は、通常の保管状態での内面側、すなわちパネル面１４ａもしくは液晶画面１６ａ側に設けることもできる。このようにすれば、通常の保管状態でも、ポケット５４や本５６などに挟み込むこともできる。また、凸部５０や凹所５２は、第１部材１４あるいは第２部材１６のいずれの側に設けても良い。
【００３４】
さらに、本実施例による携帯電話１２によれば、図８に示したように、液晶画面１６ａをＬ字状に立てることができる。したがって、図８の左方から液晶画面１６ａを眺めることもできる。また、傾斜角度αは任意の角度に設定することができるので、使い勝手が良好である。
【００３５】
以上、本発明の一実施例について説明したが、本発明は上記実施例に何ら限定されない。
例えば、上記実施例では、ギア２０，２２を二つ一組として構成したが、図９に示したように、このギア２０，２２の間に、さらに他の小ギア５８，６０を介在させることもできる。このように２つ一組のギアを２組設けることによっても、同様の作用効果を得ることができる。また、小ギア５８，６０を内側に介在させることにより、２つ折りにした場合に外部に露出するギアの面積を小さくすることができ、美観的にも好ましくなる。
【００３６】
図１０は、本発明のさらに他の実施例による携帯電話７０を示したものである。
この実施例では、小形の連結部材６２が２つ用意されるとともに、第１部材１４と第２部材１６とに、ギア６４，６６が幅方向に直接形成されている。
【００３７】
このようなギア６４，６６を互いに歯合させるとともに、２つの連結部材６２，６２が携帯電話の厚さ方向に差し渡して配置される。そして、一方の連結部材６２にヒンジ部材２６、２６が介装される。また、ヒンジ部材２６が介装されない側の連結部材６２'は、
第１部材１４および第２部材１６に対して断面円形の軸棒４７により回動自在に取り付けられる。
【００３８】
このような携帯電話７０であっても、上記実施例と同様の作用効果を奏することができ、３６０°回転させることは勿論のこと、第１部材１４と第２部材１６とを相似形に回動させることができる。また、任意の角度に停止させることができる。
【００３９】
以上、説明したように、本発明によれば、例えば、液晶画面１６ａを利用してＴＶを見る場合に、Ｌ字形に任意の角度に立てて配置することができる。また、その角度に停止させることができる。さらに、１８０°に真っ直ぐに伸ばした場合に、段差ｄが形成されないので、伸ばして配置したとしても安定した姿勢で机上に置くことができる。
【００４０】
また、図１１に示したように、第２部材１６に具備された液晶画面１６ａを長手方向の辺に沿って回動するように構成することもできる。このように設定すれば、ＴＶ画面をより好ましい姿勢で見ることができる。
【図面の簡単な説明】
【００４１】
【図１】図１は本発明の一実施例に係る携帯電話の斜視図である。
【図２】図２は同携帯電話を回動させたときの軌跡を示す概略図である。
【図３】図３は図１に示した携帯電話の分解斜視図である。
【図４】図４は３６０°回転式の携帯電話をポケットに差し込んだ姿勢を示す概略図である。
【図５】図５は３６０°回転式の携帯電話を本に差し込んだ姿勢を示す概略図である。
【図６】図６は図１に示した携帯電話における第１部材とギアとの中心軸の関係を示した側面図である。
【図７】図７は図１に示した携帯電話を３６０°回転させたときの概略側面図である。
【図８】図８は、液晶画面のＴＶを見るためにＬ字状に立てたときの斜視図である。
【図９】図９は本発明の他の実施例に係る携帯電話の概略図である。
【図１０】図１０は本発明のさらに他の実施例に係る携帯電話の分解斜視図である。
【図１１】図１１は本発明のさらに他の実施例に係る携帯電話の斜視図である。
【図１２】図１２は３６０°回転式の従来の携帯電話の斜視図である。
【図１３】図１３は図１２に示した従来の携帯電話を１８０°に伸ばしたときの側面図である。
【符号の説明】
【００４２】
１２      携帯電話
１４      第１部材
１４ａ    パネル面
１６      第２部材
１６ａ    液晶画面
１６ｂ  外側面
１８      連結手段
２０，２２  ギア
２４    連結手段
３０    凹所
３６    凸部
３８    凹所
４０、４２    軸
４６、４８    凹所
５０      凸部
５２      凹所
５４    ポケット部
５６        本
５８，６０  小ギア
６２      連結部材
６４、６６      ギア
【図１】
2006295384.tif 000003
【図２】
2006295384.tif 000004
【図３】
2006295384.tif 000005
【図４】
2006295384.tif 000006
【図５】
2006295384.tif 000007
【図６】
2006295384.tif 000008
【図７】
2006295384.tif 000009
【図８】
2006295384.tif 000010
【図９】
2006295384.tif 000011
【図１０】
2006295384.tif 000012
【図１１】
2006295384.tif 000013
【図１２】
2006295384.tif 000014
【図１３】
2006295384.tif 000015